(57)【要約】【課題】構造が簡単で、容易に伸縮される入力ペンを提供することを目的とする。【解決手段】本発明の入力ペンは、中空のスリーブと、前記スリーブから引き出され且つ端部に筆先部が設置されている筆芯部と、前記筆芯部内にスライド可能に収納されるロッド部と、前記スリーブを貫く位置決めピンと、を備える。前記筆芯部には、それを貫通するスライド溝が設けられており、前記スライド溝の両端には、それぞれ挟持アームが設置されている。前記位置決めピンは、前記スライド溝内にスライド可能に設置され、且つ前記挟持アームに解除可能にロックされる。前記ロッド部の一端には、スリットが設置され、前記位置決めピンは、前記スリット内にも解除可能にロックされることができる。【選択図】図１
2011204215.tif 000002
【特許請求の範囲】
【請求項１】
中空のスリーブと、
前記スリーブから引出され且つ端部に筆先部が設置されている筆芯部と、
前記筆芯部内にスライド可能に収納されるロッド部と、
前記スリーブを貫く位置決めピンと、
を備えてなる入力ペンであって、
前記筆芯部には、それを貫通するスライド溝が設けられており、前記スライド溝の両端には、それぞれ挟持アームが設置されており、
前記位置決めピンは、前記スライド溝内にスライド可能に設置され且つ前記挟持アームに解除可能にロックされ、
前記ロッド部の一端には、スリットが設けられ、前記位置決めピンは、前記スリット内にも解除可能にロックされることができることを特徴とする入力ペン。
【請求項２】
前記入力ペンは、前記筆芯部の前記筆先部から離れる一端に固着される係合部材をさらに含み、
前記係合部材の前記筆先部に向ける一端には、挟持アームが設けられ、前記ロッド部には、前記係止部内に解除可能に係合される凸柱を有することを特徴とする請求項１に記載の入力ペン。
【請求項３】
前記スリーブの内面には、２つの固定ブロックが対向して突設され、前記係合部材の前記筆先部側の一端には、２つの位置決め片が延伸して設けられ、
２つ前記の位置決め片の外面には、前記固定ブロックと互いに係合される凹所が設けられていることを特徴とする請求項２に記載の入力ペン。
【請求項４】
前記入力ペンは、嵌合部及びフランジ部を含み、且つ前記ロッド部に固定されるプラグをさらに備えることを特徴とする請求項２に記載の入力ペン。
【発明の詳細な説明】
【技術分野】
【０００１】
本発明は、入力ペンに関し、特に携帯式電子装置に用いられる入力ペンに関するものである。
【背景技術】
【０００２】
タッチパネル技術の発展に伴い、現在市販されている携帯電話、個人用携帯情報端末（ＰＤＡ）及びパソコン等のような携帯式電子装置は、殆んどタッチスクリーンを採用する。これらの携帯式電子装置は、一般的に入力ペンを入力手段とする。
【０００３】
従来の入力ペンは、通常携帯式電子装置の内部に内蔵されており、使用する場合、入力ペンを前記携帯式電子装置の蓋体から抜き出す。しかし、携帯式電子装置の蓋体の長さが短いため、それに挿入される入力ペンも短く設計しなければならない。従って、入力ペンの長さは制限されて、利用者に不便を与えている。以上の問題を解決するために、伸縮できる入力ペンが設計されたが、これらの入力ペンは、構造が複雑で、製造し難い。
【発明の概要】
【発明が解決しようとする課題】
【０００４】
本発明は、構造が簡単で、容易に伸縮される入力ペンを提供することを目的とする。
【課題を解決するための手段】
【０００５】
前記課題を解決するために、本発明に係る入力ペンは、中空のスリーブと、前記スリーブから引き出され且つ端部に筆先部が設置されている筆芯部と、前記筆芯部内にスライド可能に収納されるロッド部と、前記スリーブを貫く位置決めピンと、を備える。前記筆芯部には、それを貫通するスライド溝が設けられており、前記スライド溝の両端には、それぞれ挟持アームが設けられている。前記位置決めピンは、前記スライド溝内にスライド可能に設置され且つ前記挟持アームに解除可能にロックされる。前記ロッド部の一端には、スリットが設けられ、前記位置決めピンは、前記スリット内にも解除可能にロックされることができる。
【発明の効果】
【０００６】
従来の技術に比べて、本発明の入力ペンのスリーブ、筆芯部、ロッド部、プラグ及びキャップの構造が皆簡単である。前記プラグと前記キャップとを同時に相反する方向へ引っ張ると、前記ロッド部は前記プラグによって連動されて前記スリーブの一端へ移動される同時に、前記筆芯部は前記キャップに連動されて前記スリーブの他端へ移動される。これにより、前記入力ペンは容易に伸長される。
【図面の簡単な説明】
【０００７】
【図１】本発明に係る入力ペンの分解図である。
【図２】図１に示した入力ペンの組立て図である。
【図３】図２に示した入力ペンのＩＩＩ−ＩＩＩ線に沿う断面図である。
【図４】図２に示した入力ペンの斜視断面図である。
【図５】図４に示した入力ペンは完全に伸長された場合の斜視断面図である。
【発明を実施するための形態】
【０００８】
本発明に係る入力ペンは携帯電話、個人用携帯情報端末（ＰＤＡ）及びパソコン等のような携帯式電子装置に適用する。以下、図面を参照しながら本発明に係る入力ペンについて詳しく説明する。
【０００９】
図１に示すように、本発明の入力ペン１００は、スリーブ１０と、前記スリーブ１０内にスライド可能に設置される筆芯部２０と、前記筆芯部２０内にスライド可能に収納されるロッド部３０と、前記ロッド部３０に被せられる係合部材４０と、前記ロッド部３０の一端に嵌合されるプラグ５０と、前記筆芯部２０の一端に解除可能に被せられるキャップ６０と、前記スリーブ１０に取り付けられる位置決めピン７０と、前記ロッド部３０に取り付けられる固定ピン８０と、を備える。前記筆芯部２０は、前記スリーブ１０に対して前記プラグ５０から離れる方向に伸長され、前記ロッド部３０は、前記スリーブ１０に対して前記プラグ５０側に伸長される。
【００１０】
前記スリーブ１０は、中空の管状体であり、且つ軸方向に沿って設けられている前記筆芯部２０を収納するための収容空洞部１１を備える。前記収容空洞部１１は、４つの周壁１２に囲まれて形成される。本実施形態において、前記収容空洞部１１の横断面は略正方形であるが、前記筆芯部２０が前記スリーブ１０に相対的に回転するのを阻止できれば、前記収容空洞部１１の横断面は三角形のような他の形状であってもよい。前記スリーブ１０における対向する２つの側壁１２には、前記位置決めピン７０を取り付けるための２つの位置決め穴１２２が設けられている。２つの前記位置決め穴１２２は、それぞれ前記周壁１２の中央部に対称的に設けられる。前記側壁１２の内面には、前記係合部材４０を固定するための固定ブロック１２４（図４を参照）が対向して凸設されている。
【００１１】
前記筆芯部２０は、前記収容空洞部１１内に収納される中空の本体部２２及び前記本体部２２に連結される筆先部２４を備える。前記本体部２２は、２つずつ対向する４つの側壁２２２を備え、４つの前記側壁２２２は、収容空洞部２２４を囲んで形成する。前記本体部２２の対向する２つの側壁２２２には、それを貫通するスライド溝２２２２がそれぞれ設けられている。前記スライド溝２２２２は前記位置決めピン７０と組み合せて、前記筆芯部２０と前記スリーブ１０との相対的なスライドを実現する。前記側壁２２２における前記スライド溝２２２２の両側の２つの端縁には、それぞれ並置する２つの挟持アーム２２２４が延伸されている。２つの前記挟持アーム２２２４の隙間には、前記位置決めピン７０を保持するための保持溝２２２６が設けられている。前記筆先部２４には、前記キャップ６０を係合するための係止溝２４２が設けられている。
【００１２】
前記ロッド部３０は、中空の角筒体であり、一端にはそれを貫通するスリット３２が設けられている。前記スリット３２の中央部には、前記位置決めピン７０を保持するための保持穴３２２が設けられている。前記ロッド部３０の前記スリット３２に近接し且つ前記スリット３２が設置されている２つの側壁に直交する２つの側壁には、同軸を有する２つの凸柱３４がそれぞれ設けられている。前記ロッド部３０の他端には、前記凸柱３４と同一面に位置し且つ前記固定ピン８０を取り付けることに用いられる固定穴３６が設けられている。
【００１３】
前記係合部材４０は、略筒状体であり、前記ロッド部３０に被せられて、前記ロッド部３０が前記係合部材４０に対して回転することを防止する。前記係合部材４０の前記キャップ６０側の一端には、対向する２つの係止部４２及び対向する２つの位置決め片４４がそれぞれ延伸して設けられている。前記係止部４２と前記位置決め片４４とは、互いに離間して設けられる。各係止部４２は、上下平行して延伸される２つの係止アーム４２２を備える。２つ前記の係止アーム４２２の隙間には、前記凸柱３４を保持するための保持溝４２２２が設けられている。２つの前記位置決め片４４の外面（図１での１つの位置決め片４４の上面及び他の１つの位置決め片４４の下面）には、それぞれ凹所４４２が設けられている。前記凹所４４２は、前記スリーブ１０の固定ブロック１２４と互いに係合して、前記係合部材４０を前記スリーブ１０に固定させる。
【００１４】
前記プラグ５０は、前記スリーブ１０の開口端部を塞ぐフランジ部５２及び前記フランジ部５２の中心から延伸されている嵌合部５４を備える。前記嵌合部５４の対向する２つの側壁には、それぞれ貫通孔５４２が設けられている。前記貫通孔５４２と前記固定穴３６とが一直線に位置するように、前記嵌合部５４が前記ロッド部３０内に嵌入される。
【００１５】
前記キャップ６０の内壁６２には、２つの突片６２２が対向して設けられており、前記突片６２２は、前記筆芯部２０の係止溝２４２内に解除可能に係合される。
【００１６】
以下、図１ないし図４を参照しながら、本発明の入力ペン１００の組立てステップについて詳細に説明する。
【００１７】
まず、前記筆芯部２０を前記スリーブ１０内に挿入すると共に、前記筆芯部２０のスライド溝２２２２と前記スリーブ１０の位置決め穴１２２との位置を合わせてから、前記位置決めピン７０を前記位置決め穴１２２内に挿入して、前記筆芯部２０を前記スリーブ１０内に装着する。この際、前記位置決めピン７０の中央部は前記スライド溝２２２２内に位置し、前記位置決めピン７０の両端はそれぞれ前記位置決め穴１２２内に係止される。
【００１８】
次に、前記係合部材４０の係止部４２を前記ロッド部３０の凸柱３４に向けて、前記係合部材４０を前記ロッド部３０の外周に被せる。次いで、前記プラグ５０の嵌合部５４を前記ロッド部３０内に挿入すると共に、前記嵌合部５４の貫通孔５４２と前記ロッド部３０の固定穴３６との位置を合わせてから、前記固定ピン８０を前記固定穴３６及び前記貫通孔５４２に挿入して、前記プラグ５０を前記ロッド部３０の一端に固定する。その後、前記係合部材４０を前記スリーブ１０内へ押し込むと、前記スリーブ１０の固定ブロック１２４が２つの前記位置決め片４４を湾曲するように押圧して、それに弾発力を蓄積させる。前記固定ブロック１２４が前記位置決め片４４の凹所４４２内に滑り込まれると、前記位置決め片４４は元の状態に復帰して、前記固定ブロック１２４を前記凹所４４２内に安定して係合させる。
【００１９】
最後に、前記キャップ６０を前記筆先部２４に被せて、その突片６２２を前記筆先部２４の係止溝２４２内に係合させる。これで、前記入力ペン１００の組立てを完成する。
【００２０】
図３及び図４に示すように、前記入力ペン１００を収縮する場合、前記プラグ５０及び前記キャップ６０を互いに向かって推進すると、前記ロッド部３０は前記プラグ５０によって連動されて前記スリーブ１０内で前記キャップ６０に向けて移動する。これと同時に、前記筆芯部２０は、前記キャップ６０によって連動されて前記スリーブ１０内で前記プラグ５０に向けて移動する。前記位置決めピン７０が、前記筆芯部２０の保持溝２２２６及び前記ロッド部３０の保持穴３２２に係止されると、前記入力ペン１００は完全に収縮される。
【００２１】
図５に示すように、前記入力ペン１００を伸長して使用する場合、前記プラグ５０及び前記キャップ６０を相反する方向に同時に引っ張ると、前記プラグ５０は前記ロッド部３０を連動して、前記保持穴３２２と前記位置決めピン７０とを離脱させて前記ロッド部３０を前記スリーブ１０の一端へ移動させる。これと同時に、前記キャップ６０は、前記筆芯部２０を連動して、前記スライド溝２２２２の一端の保持溝２２２６と前記位置決めピン７０とを離脱させて前記筆芯部２０を前記スリーブ１０の他端へ移動させる。従って、前記位置決めピン７０は、前記スライド溝２２２２に沿ってスライドする。引き続き前記プラグ５０及び前記キャップ６０を引っ張ると、前記ロッド部３０の凸柱３４は、前記係合部材４０の保持溝４２２２内に係止され、前記位置決めピン７０は、前記筆芯部２０のスライド溝２２２２の他の保持溝２２２６内に係止される。これで、前記入力ペン１００は完全に伸長される。最後に、前記キャップ６０を引っ張って、前記突片６２２を前記筆芯部２０の係止溝２４２から離脱させれば、前記キャップ６０は取り外されて前記入力ペン１００を使用できる。
【００２２】
なお、前記キャップ６０により前記筆芯部２０を連動して前記スリーブ１０から引き出すために、前記キャップ６０の突片６２２と前記筆芯部２０の係止溝２４２との係合力を、前記位置決めピン７０と前記保持溝２２２６との係合力より大きくするのが望ましい。
【００２３】
本発明の入力ペン１００において、前記プラグ５０と前記キャップ６０とを同時に牽引すると、前記ロッド部３０は前記プラグ５０によって連動されて前記筆立て１０の一端へ移動される同時に、前記筆芯部２０は、前記キャップ６０によって連動されて前記スリーブ１０の他端へ移動される。これにより、前記入力ペン１００は容易に伸長される。
【００２４】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２５】
１０      スリーブ
１１      収容空洞部
１２      周壁
２０      筆芯部
２２      本体部
２４      筆先部
３０      ロッド部
３２      スリット
３４      凸柱
３６      固定穴
４０      係合部材
４２      係止部
４４      位置決め片
５０      プラグ
５２      フランジ部
５４      嵌合部
６０      キャップ
６２      内壁
７０      位置決めピン
１２２    位置決め穴
１２４    固定ブロック
２２２    側壁
２２４    収容空洞部
２４２    係止溝
３２２    保持穴
４２２    係止アーム
４４２    凹所
５４２    貫通孔
６２２    突片
２２２２  スライド溝
２２２４  挟持アーム
２２２６  保持溝
４２２２  保持溝
【図１】
2011204215.tif 000003
【図２】
2011204215.tif 000004
【図３】
2011204215.tif 000005
【図４】
2011204215.tif 000006
【図５】
2011204215.tif 000007